(57)【要約】【課題】記録に要する消費電力と電源の残容量とから記録の可否を事前の判断する。【解決手段】記録装置は、記録媒体の属性を設定する属性設定部（２１５）と、設定した記録媒体の属性に応じ、記録媒体に記録をするための最大電力量を設定する電力量設定部（２０９、２１８）と、搭載した電源の残容量を検出する残量検知部（２１６、２１７）と、電源の残容量と最大電力量とに基づき、記録媒体に対する記録の可否を判断する判断部（２０９）と、判断部の判断の結果を報知する報知部（２０８）と、を備える。【選択図】　図２
2004025497.tif 000002
【特許請求の範囲】
【請求項１】
記録媒体の属性を設定する属性設定手段と、
前記設定した記録媒体の属性に応じ、該記録媒体に記録をするための最大電力量を設定する電力量設定手段と、
搭載した電源の残容量を検出する残量検知手段と、
前記電源の残容量と前記最大電力量とに基づき、前記記録媒体に対する記録の可否を判断する判断手段と、
前記判断手段の判断の結果を報知する報知手段と、
を備えることを特徴とする記録装置。
【請求項２】
前記属性設定手段は、前記記録媒体の特性を装着された記録媒体のサイズおよび種類の検出に基づき設定することを特徴とする請求項１に記載の記録装置。
【請求項３】
前記属性設定手段は、
複数種の記録媒体を収納することが可能な収納部と、
前記収納部に収納された記録媒体の収納位置を検出する第１検出手段と、
前記検出された収納位置に基づき記録媒体のサイズを特定する第１特定手段と、
を有することを特徴とする請求項１または２に記載の記録装置。
【請求項４】
前記属性設定手段は、
前記装着された記録媒体の種類及び厚さを検出する第２検出手段と、
前記検出された情報に基づき、前記記録媒体の種類及び厚さを特定する第２特定手段と、
を有することを特徴とする請求項１または２に記載の記録装置。
【請求項５】
前記属性設定手段は、外部機器から送信された情報に基づいて、前記記録媒体のサイズ、種類及び印刷濃度を設定することを特徴とする請求項１に記載の記録装置。
【請求項６】
前記判断手段は、前記電源の残容量と前記最大電力量とに基づき、前記記録媒体に対する一枚記録が可能か否か、該記録媒体の連続記録可能枚数を判断することを特徴とする請求項１に記載の記録装置。
【請求項７】
前記残量検知手段は、
前記電源の残容量を検出するために負荷手段を駆動させる負荷駆動手段と、
前記負荷手段を駆動した際に、前記電源電圧を検出する電圧検出手段と、を有し、前記負荷手段の駆動前後の電圧降下量により前記電源の残容量を検出することを特徴とする請求項１に記載の記録装置。
【請求項８】
前記前記報知手段は、
前記判断手段による判断の結果、前記記録媒体に対して一枚記録ができない場合は、警告表示により報知することを特徴とする請求項１に記載の記録装置。
【請求項９】
記録媒体の属性を設定する属性設定工程と、
前記設定した記録媒体の属性に応じ、該記録媒体に記録をするための最大電力量を設定する電力量設定工程と、
記録装置に搭載した電源の残容量を検出する残量検知工程と、
前記電源の残容量と前記最大電力量とに基づき、前記記録媒体に対する記録の可否を判断する判断工程と、
前記判断工程の判断の結果を表示手段に表示して報知させる報知工程と、
を備えることを特徴とする記録装置の制御方法。
【請求項１０】
前記属性設定工程は、前記記録媒体の特性を、記録装置に装着された記録媒体のサイズおよび種類の検出に基づき設定することを特徴とする請求項９に記載の記録装置の制御方法。
【請求項１１】
前記属性設定工程は、
複数種の記録媒体を収納することが可能な収納部に収納された記録媒体の収納位置を検出する第１検出工程と、
前記検出された収納位置に基づき記録媒体のサイズを特定する第１特定工程と、
を含むことを特徴とする請求項９または１０に記載の記録装置の制御方法。
【請求項１２】
前記属性設定工程は、
前記記録装置に装着された記録媒体の種類及び厚さを検出する第２検出工程と、
前記検出された情報に基づき、前記記録媒体の種類及び厚さを特定する第２特定工程と、
を有することを特徴とする請求項９または１０に記載の記録装置の制御方法。
【請求項１３】
前記属性設定工程は、外部機器から送信された情報に基づいて、前記記録媒体のサイズ、種類及び印刷濃度を設定することを特徴とする請求項９に記載の記録装置の制御方法。
【請求項１４】
前記判断工程は、前記電源の残容量と前記最大電力量とに基づき、前記記録媒体に対する一枚記録が可能か否か、該記録媒体の連続記録可能枚数を判断することを特徴とする請求項９に記載の記録装置の制御方法。
【請求項１５】
前記残量検知工程は、
前記電源の残容量を検出するために負荷手段を駆動させる負荷駆動工程と、
前記負荷手段を駆動した際に、前記電源電圧を検出するための処理をする電圧検出工程と、を有し、前記負荷手段の駆動前後の電圧降下量により前記電源の残容量を検出することを特徴とする請求項９に記載の記録装置の制御方法。
【請求項１６】
前記前記報知工程は、
前記判断工程による判断処理の結果、前記記録媒体に対して一枚記録ができない場合は、警告表示を表示手段に表示させて報知することを特徴とする請求項９に記載の記録装置の制御方法。
【発明の詳細な説明】
【０００１】
【発明の属する技術分野】
本発明は、記録媒体（以下、「メディア」ともいう。）に対して画像の記録を行う記録装置、およびその制御方法に関する。特に、記録装置に装着されている電池で電池駆動を行う場合、電池容量に対応して連続記録が可能な枚数や一枚記録の可能性を警告表示すること特徴とする記録装置とその制御方法に関するものである。
【０００２】
【従来の技術】
従来においては、記録装置に装着されている電池の電池残量検知は記録装置における記録処理とは別個に行なわれており、記録装置にセットされる様々なメディアの種類や搭載している電池の残量とは無関係に記録動作を実行していた。このため、例えばサイズの大きなメディアがセットされ消費電力量が大きくなることが予測される場合であっても電池の残量に関わらず記録処理を実行し、その結果、記録処理の途中で電池が切れてしまい記録処理が最終的に完結しない状態で記録装置は動作不能な状態になるという問題が生じていた。
【０００３】
【発明が解決しようとする課題】
記録装置にセットされるメディアの種類により、記録に要する消費電力量はそれぞれ異なる。例えば、メディアサイズがＡ４、　Ａ５、　Ａ６などの場合は、記録時間、画像形成部のキャリッジのスキャン回数、記録面積などにより消費電力量がそれぞれ異なる。
【０００４】
また、メディアの種類によって、例えば、普通紙、コート紙、フォト紙のメディアに対してインクジェット方式のプリンタは、インクの吐出量（インクの打ち込み量）が異なるため消費電力量がそれぞれ相違する。
【０００５】
しかしながら、従来の記録装置においてはメディアのサイズ、種類とは関係なくメディア一枚を記録するための消費電力を一定値として連続記録が可能な枚数を見積もり、この見積もりの結果をユーザーに報知する表示を行なっていたため、本来あるサイズのメディアに対してはまだ電池駆動が可能であるにも関わらず、「電池残量不足」の警告表示をユーザーに報知してしまい、電池交換時期を早期化させコスト負担を強いていた。
【０００６】
【課題を解決するための手段】
本発明は、記録装置にセットされる記録媒体のサイズ、種類、材質、厚さを検出し、連続記録可能枚数や一枚記録の可能性を判断し、その判断結果を報知する記録装置及びその記録装置の制御方法を提供することを目的とする。
【０００７】
上記目的を達成するべく本発明にかかる記録装置及びその記録装置の制御方法は主として以下の構成よりなることを特徴とする。
【０００８】
すなわち、本発明にかかる記録装置は、記録媒体の属性を設定する属性設定手段と、
前記設定した記録媒体の属性に応じ、該記録媒体に記録をするための最大電力量を設定する電力量設定手段と、
搭載した電源の残容量を検出する残量検知手段と、
前記電源の残容量と前記最大電力量とに基づき、前記記録媒体に対する記録の可否を判断する判断手段と、
前記判断手段の判断の結果を報知する報知手段と、
を備えることを特徴とする。
【０００９】
好ましくは上記の記録装置において、前記属性設定手段は、前記記録媒体の特性を装着された記録媒体のサイズおよび種類の検出に基づき設定する。
【００１０】
好ましくは上記の記録装置において、前記属性設定手段は、
複数種の記録媒体を収納することが可能な収納部と、
前記収納部に収納された記録媒体の収納位置を検出する第１検出手段と、
前記検出された収納位置に基づき記録媒体のサイズを特定する第１特定手段と、を有することを特徴とする。
【００１１】
好ましくは上記の記録装置において、前記属性設定手段は、
前記装着された記録媒体の種類及び厚さを検出する第２検出手段と、
前記検出された情報に基づき、前記記録媒体の種類及び厚さを特定する第２特定手段と、を有することを特徴とする。
【００１２】
好ましくは上記の記録装置において、前記属性設定手段は、外部機器から送信された情報に基づいて、前記記録媒体のサイズ、種類及び印刷濃度を設定する。
【００１３】
好ましくは上記の記録装置において、前記判断手段は、前記電源の残容量と前記最大電力量とに基づき、前記記録媒体に対する一枚記録が可能か否か、該記録媒体の連続記録可能枚数を判断する。
【００１４】
好ましくは上記の記録装置において、前記残量検知手段は、
前記電源の残容量を検出するために負荷手段を駆動させる負荷駆動手段と、
前記負荷手段を駆動した際に、前記電源電圧を検出する電圧検出手段と、を有し、前記負荷手段の駆動前後の電圧降下量により前記電源の残容量を検出する。
【００１５】
好ましくは上記の記録装置において、前記前記報知手段は、
前記判断手段による判断の結果、前記記録媒体に対して一枚記録ができない場合は、警告表示により報知する。
【００１６】
また、本発明にかかる記録装置の制御方法は、記録媒体の属性を設定する属性設定工程と、
前記設定した記録媒体の属性に応じ、該記録媒体に記録をするための最大電力量を設定する電力量設定工程と、
記録装置に搭載した電源の残容量を検出する残量検知工程と、
前記電源の残容量と前記最大電力量とに基づき、前記記録媒体に対する記録の可否を判断する判断工程と、
前記判断工程の判断の結果を表示手段に表示して報知させる報知工程と、
を備えることを特徴とする。
【００１７】
【発明の実施の形態】
以下、本発明の実施形態を図面に基づいて説明する。
【００１８】
本明細書において、「プリント」（「記録」、「画像形成」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行うものをいうものとする。
【００１９】
「電池」とは、本記録装置を動かすための動力・エネルギー源のことをいい、広くは燃料電池、化学電池、物理電池、発電設備、蓄電設備などのエネルギーを発生し得る媒体の総称をいうものとする。
【００２０】
「メディア」とは、一般的なプリント装置で用いられている紙のみならず、広く布、プラスティック、フィルム、金属板等、ガラス、セラミックス、木材、皮革等、インクを受容可能な物をいうものとする。
【００２１】
「インク」（「液体」という場合もある）とは、上記「プリント」の定義と同様広く解釈されるべきものであり、メディア上に付与されることによって、画像、模様、パターン等の形成、メディアの加工、あるいはインク処理（例えば、メディアに付与されるインク中の色材の凝固または不溶化）に供される液体をいうものとする。
【００２２】
「記録枚数」とは、本多機能型記録装置にセットされるメディアが一枚、一枚分離して装着される場合において、各々の記録のためのカウント量を記録枚数というが、メディアの種類によってはロール状の枚数の概念がない物もあるため、この場合は記録距離、単位記録量といった概念であるものとする。
【００２３】
＜記録装置の基本構成（図１）＞
図１に基づいて本実施形態にかかる記録装置の基本構成について説明する。
【００２４】
記録装置本体１００は、記録データをメディアに記録するためのインクを収納するインク収納容器１０１と、メディアを収納するメディア収納容器１０２が装着可能である。メディア収納容器１０２には、プリント用メディア収納部１０３とスキャナ用メディア収納部１０５を有する。これらの収納部には、各々にプリント用メディア１０４、スキャナ用メディア１０６をセットすることができる。
【００２５】
記録装置を駆動するための電源の一方式として電池駆動があり、記録装置は電池がセットされた電池ホルダー１０７を装着して電池駆動を実現できる。
【００２６】
なお、電池からの給電は、電池ホルダー１０７から電池端子１０８を経由して装置に給電される。記録装置に対する給電のもう１つの方式としてアダプタ駆動があり、外部直流電源から給電するためのＤＣジャック１１６に外部直流電源（例えばＡＣアダプタ）１１７を接続して、電源から給電のためのコンセントプラグ１１８を例えば家庭用コンセントに接続することで装置に給電される。これら二方式による装置駆動形態（電池駆動、ＡＣアダプタ駆動）において、装置への給電電圧は１つであるため、様々な負荷電圧の要求に答えるため装置内部に不図示の直流電圧変換部（ＤＣ／ＤＣコンバータ部）を設けて電圧変換を行っている。
【００２７】
また、電池駆動においては、電池容量値次第では装置の動作停止などが想定されるため、後述する電池残量検知ユニットを本装置内部に機能として搭載している。
【００２８】
記録装置は、プリンタとスキャナの両方の動作させることが可能で、画像形成のための駆動部の一つであるキヤリッジ１０９に、インクタンク（プリントヘッドと共に搭載）１１０とスキャナ機構（スキャナヘッドと共に搭載）１１１が装置に予め設置されている。これらを使用して、プリントもしくはスキャニングするために、上述のプリント用メディア収納部１０３にセットされたプリント用メディア１０４とスキャナ用メディア収納部１０５にセットされたスキャナ用メディア１０６が各々分離してセットされ、各々の処理に応じて記録装置本体に供給される。
【００２９】
例えば、本装置をプリンタ動作させるときには、ホスト装置（例えば、パソコンなど）１１３からプリントのためのデータを受信するためのデータ受信ポート（シリアルデータ受信ポート／デバイスＵＳＢポート）１１２を保有する。
【００３０】
一方、本装置を例えば、先ほどのホスト装置のパソコンから受信したデータをデジタルカメラの画像表示部（例えば、液晶ディスプレイなど）に表示したり、デジタルカメラで取得した撮影画像データを本装置でデータ処理を行い、プリント記録したりするような動作をさせるときには、デバイス装置（例えば、デジタルカメラなど）１１５へデータ送受信し、データ処理を行う必要があるため、デバイス装置とのデータ送受信ポート（シリアルデータ送受信ポート／ホストＵＳＢポート）１１４を保有する。
【００３１】
＜記録装置の電池残量検知（図２）＞
図２に基づいて記録装置における電池残量検知処理について説明する。
【００３２】
記録装置１００において、電池残量検知ユニット２００を駆動するための電源は、装置電源部（電池部）２０１に接続され、電源スイッチ２０２を経由してＤＣ／ＤＣコンバータ２０３に給電される。このとき、装置駆動部（実負荷）２０４は、記録ヘッド、キャリッジモータ、搬送モータ等、各部様々な電圧／電流仕様で駆動するために、装置電源部２０１からの給電電圧は各仕様に適合するようにＤＣ／ＤＣコンバータ２０３により高効率電力変換される。
【００３３】
装置駆動部２０４は、主に、各部ロジック（ＣＰＵ、　ＡＳＩＣなど）２０５の負荷、画像形成部（記録ヘッド）２０６、各部モータ２０７の負荷、警告表示部２０８で構成される。これらは、装置の動作シーケンスにしたがって、装置制御部（ＣＰＵ）２０９により制御される。
【００３４】
画像形成部に関しては、本装置と接続されるホスト装置（例えば、パソコン）２１０からの記録画像データをデータ通信部２１１を介して装置制御部（ＣＰＵ）２０９が受信して、画像形成部制御部（ＡＳＩＣ）２１３は記録画像データを画像形成部（記録ヘッド）２０６で認識できる信号形態に変換するためのでデータ加工を行う。
【００３５】
そして、記録開始ボタン２１２の入力により記録開始が確定されると、画像形成部制御部（ＡＳＩＣ）２１３は画像形成部２０６へ加工後のデータを転送し、画像形成部２０６は転送されたデータに基づいてメディア２１４に画像記録を行う。
【００３６】
次に、上述した記録動作を確実に行うために、記録において要求される消費電力と電池の残容量との関係を判断する構成について説明する。本構成はセットされたメディアの種類に応じて、記録処理に要する消費電力量を記録した電力記録部（テーブル）２１８と、記録装置へセットされたメディアの種類を検出するためのメディア属性検出部２１５とを有する。
【００３７】
メディア属性検出部２１５は、主に、メディアのサイズを判別するためのメディアサイズ判別機構とメディアの種類（用紙種類、厚さなど）を判別するためのメディア種類判別機構の二つで構成し、これらの検出結果は、装置制御部（ＣＰＵ）２０９へ転送され、セットされたメディアごとの一枚記録の消費電力量を見積もるための役割を果たす。
【００３８】
このメディア種類検出の結果に基づいて装置制御部（ＣＰＵ）２０９はメディアのサイズや種類（用紙種類、厚さ）に基づいて、メディア一枚を記録するのに必要な電力量を見積もる。具体的には、予め記録されたメディアごとの記録電力量が記録されている電力量記録部２１８から記録に必要な電力量を読み出し、セットされたメディアに対する使用電力量が装置制御部（ＣＰＵ）２０９により見積もられる。
【００３９】
この装置制御部（ＣＰＵ）２０９による見積もり結果はセットされたメディアごとの一枚記録のための基準電力量となる。
【００４０】
次に、装置制御部（ＣＰＵ）２０９は記録装置の直流電源部２０１にセットされた電池の残量を見積もるために、負荷試験用ダミー負荷２１６を駆動制御して負荷が駆動されたときの電池電圧を電池電圧検出部２１７により検出し、負荷駆動前後での電圧降下量を求めることにより電池残量の推定を行う。この電池残量推定結果とセットされたメディアに対する基準電力量から、装置制御部（ＣＰＵ）２０９はセットされた同一メディアを用いて連続記録を行ったときの連続記録可能枚数や一枚記録が可能か否かの判断を行い、ホスト装置２１０あるいは警告表示部２０８へ表示を行う。
【００４１】
また、装置制御部（ＣＰＵ）２０９は対応するメディアの設定が変更された場合、その変更に伴い基準電力量の値を更新し、その更新後の基準電力量と電池残量の推定結果とを比較して連続記録可能枚数、一枚記録の可能性を新たに表示させることができる。
【００４２】
＜メディア属性検出部の構成＞
図３に基づいてメディア属性検出部２１５の構成について説明する。
【００４３】
メディア属性検出部は、主に、メディアサイズ判別機構（図３（ａ））と、メディア種類（用紙種類、厚さなど）判別機構（図３（ｂ））の二つで構成される。
【００４４】
図３（ａ）において、記録装置本体３０１に対して各種メディアセット部３０２が装着され、このメディアセット部に各種メディア（サイズの異なる定型用紙など）３０３をセットできる。図３（ａ）はＡ５サイズ若しくはＡ６サイズのメディアを装着した場合の検出を例示する図である。メディアサイズ判別のためにメディアサイズ判別機構３０４をスライドさせてメディアの幅サイズに合わせてメディアサイズ判別機構の位置を固定する。この固定と同時に、メディアサイズ判別機構３０４の電気的な回路構成（図３（ｃ））において、各メディアのサイズに応じて接点回路のオープン、クローズの状態が完成する。この回路状態をＣＰＵ３０７はセレクタ３０６を制御しながら確認して、装置本体にセットされているメディアのサイズを適切に判断する。
【００４５】
例えば、メディアサイズ判別機構３０４の固定位置がＡ５サイズの接点位置に対応する場合は、Ａ５サイズのメディアを検出するための接点がクローズし、Ａ６サイズの接点位置に対応する場合は、Ａ６サイズのメディアを検出するための接点がクローズする。ＣＰＵ３０７はこのような回路状態をセレクタ３０６を介して識別する。
【００４６】
図３（ｄ）はメディアサイズの判別に関する真理値表と、メディアサイズの判断結果及び記録装置における処理の内容を示す図である。例えば、上述のようにＡ５サイズの接点がクローズされた場合、ＣＰＵ３０７はメディアサイズ判別機構がＡ５側にセットされたと判断し、記録装置本体は、この判断結果に基づき、Ａ５サイズのメディアに関する電力量を見積もる。
【００４７】
Ａ５、Ａ６の接点がオープンの場合、メディアサイズ判別機構は不設定として判断され、この場合、記録装置はエラー状態にあると判断して動作しない。
【００４８】
図３（ｂ）はメディア種類判別機構の全体的な構成を平面的に示す図であり、図３（ｅ）はメディア種類判別機構の側面を示す図である。
【００４９】
図３（ｂ）において、メディア３０３は、メディアの種類をメディア自体で判別できるようにするために、図のように、タブ付きメディアのタブ／メディア種類判別部にメディアの種類（フォト紙、シール紙、ペット紙）、厚さに応じて穴３１０をあけて、この穴の位置をメディア種類判別機構（例えば、フォトディテクトセンサ）３１１でメディア給紙動作と同調して検出する。メディア種類判別機構３１１はセンサ１、２、３を有しており、各センサはそれぞれの穴位置に応じてメディアの種類、厚さを特定する。図３（ｅ）はメディアが搬送される状態を側面方向から示した図であるが、例えば、センサ１はメディアにより遮光された光を穴部より受光して穴の有無を検出する。
【００５０】
図３（ｆ）はセンサ１における検出の真理値表と、ＣＰＵ３０７における判断の関係を示す図である。例えば、センサ１が受光を検出した場合、センサ出力はオン状態となり、ＣＰＵ３０７はセンサ１に対応するタブ／メディア種類判別部に穴が有ると判断する。
【００５１】
ＣＰＵ３０７はセンサ出力に基づいてセレクタ３１２を制御して、セットされたメディアの種類、厚さに関する情報を認識する。
【００５２】
以上、図３（ａ）〜（ｆ）で説明したとおり、メディアサイズ判別機構とメディア種類判別機構の両方の判別機構による判別結果により、記録装置にセットされている各種メディアを特定して、各々のメディアに応じて、ＣＰＵ２０９は一枚記録に要する電力量を算定し、結果として、同一メディアやホスト装置で指定した動作条件での連続記録可能枚数あるいは一枚記録の可能性などを事前に警告表示する。
【００５３】
＜電池残量検知の動作シーケンス（図４）＞
図４に電池残量検知の動作シーケンスを説明するためのフローチャートを示す。
【００５４】
ステップＳ１０１において、メディア属性検出部のサイズ判別機構によりメディアサイズが確定し、ステップＳ１０２において、メディア種類判別機構によるメディア種類（用紙種類、厚さ）が確定する。
【００５５】
これらの情報からＣＰＵ２０９は記録装置にセットされているメディアに対して一枚記録のための電力量を電力量記録部２１８の電力量テーブルから見積もる。この最大電力量の結果を電池駆動時の連続記録可能枚数決定のための基準電力量とする（Ｓ１０３）。
【００５６】
次に、記録装置にセットされている電池の電池残量状況を把握するために、電池ダミー負荷試験をして、所定の負荷駆動時の電池の電圧降下量をＣＰＵ２０９が測定し、この電圧降下量のレベルから電池残量を推定する（Ｓ１０５）。
【００５７】
これらより、前述の基準電力量と電池残量の推定結果に基づいて、例えば、ホスト装置側のアプリケーション上で決定Ｓ１０９したプリント動作条件で連続記録可能枚数を決定する（Ｓ１０６）。設定した動作条件における連続印刷可能枚数は電池残量／一枚印刷のための最大電力量により求めることができる。
【００５８】
その結果、連続記録可能枚数および一枚記録の可能性が決定され（Ｓ１０７）、一枚記録が設定された条件の下でＮＧの場合は（Ｓ１０８−ＮＧ）、ユーザーに対して警告表示を行い（Ｓ１０９）、動作条件の再設定により、再度、連続記録可能枚数、一枚記録の可能性について処理を行うことができる。
【００５９】
一方、記録装置に電池がセットされず、ＡＣアダプタにより駆動されている状態では、電池が非装着状態であることを示す信号がホスト装置のアプリケーションに知らされ、アプリケーションは記録装置がＡＣアダプタにより駆動される旨を警告表示部に表示し、この場合は連続記録可能枚数は表示されない。
【００６０】
電池残量検知の動作シーケンスに基づいた記録可能枚数の見積もりにおいて、記録装置本体または外部装置で、例えば、メディアサイズ、メディア種類を設定できる設定手段を有し、記録装置本体で設定された条件に基づいて電池残量を検知して、その検知結果により連続記録可能枚数あるいは一枚記録の可能性を決定し、一枚記録が設定された条件の下では不可能の場合はその旨をユーザーに警告表示することができる。
【００６１】
＜動作条件の設定と画面表示の例（図５）＞
次に、図５に基づいて、電池残量検知におけるホスト装置側の動作条件の設定と画面表示の例を説明する。同図において、５０４は、プリンタ５０２を電池で駆動する場合、バッテリー管理をホスト装置側で行うための設定画面を例示する図である。ホスト装置（例えば、パソコン）２１０とプリンタ５０２との間の接続は、バッテリー管理に関する専用のデータ通信手段５０３を介して行われる。
【００６２】
設定画面５０４は、ホスト装置２１０の中の専用のソフトウェアにより起動され、この画面上からプリンタ５０２に対する種々の設定を行なうことができる。例えば、動作条件のセットにおいては、メディアサイズの設定５０１、種類設定５０２、印刷濃度５０３の各設定を行なうことができる。印刷濃度５０３の値は、装着された「メディアの厚さ」と関連するもので記録装置のインク吐出量を制御するための情報となる。そして、電池残量検知のための条件確定ボタン５０５を押し下げて、条件が確定すると、確定した動作条件に基づいた連続記録可能枚数が表示部５０６に事前に表示される。ここで表示される連続記録可能枚数は図４のステップＳ１０７における決定に基づくものである。
【００６３】
なお、設定画面５０４の表示部５０６は記録装置のメディア属性検出部（メディアサイズ判別機構、メディア種類判別機構）で検出した条件に基づいて連続可能枚数を表示するが、一枚印刷ができない場合、ユーザーにより再設定された後の動作条件に基づく表示を行なうこともできる。
【００６４】
電源状態のメッセージステータス５０７には、例えば、連続記録可能枚数が一枚に満たない場合の警告が表示される。メディア一枚の印刷ができない場合の警告表示は図４のフローチャートのステップＳ１０８、Ｓ１０９の処理に基づくものである。
【００６５】
この他、設定画面５０４は電池のダミー負荷試験の結果に基づいて（図４のステップＳ１０４）、現在の電池残量をダミー負荷試験起動ごとに電池残量メーター５０９に表示する。
【００６６】
更に、記録装置が電池駆動なのかＡＣアダプタ駆動なのか、あるいは、電池もＡＣアダプタもセットしている場合を表示する電源駆動状態表示部５０８によりプリンタの電源に関する情報を可視化して表示する。
【００６７】
以上説明したように、本実施形態かかる記録装置、記録装置の制御方法によれば、記録に要する消費電力と電源（電池）の残容量とから記録の可否を事前の判断する
ことが可能になる。
【００６８】
また、電源（電池）の残容量に対して、使用する記録媒体で記録可能な枚数、一枚記録が可能か否かの判断結果をユーザーに報知することが可能になる。この結果に基づき、ユーザーはホスト装置の設定画面から動作条件を再設定して、記録が可能な枚数、記録媒体（メディア）の選択を行なうことができる。
【００６９】
また、電源（電池）残量、報知の結果が可視化されることによりユーザーは電源（電池）を交換するタイミングを適切に判断することが可能になる。
【００７０】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００７１】
また、以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００７２】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００７３】
この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００７４】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００７５】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書に記載された構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００７６】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００７７】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００７８】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００７９】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００８０】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００８１】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。
【００８２】
このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００８３】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【００８４】
【他の実施形態】
なお、本発明は、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【００８５】
【発明の効果】
以上説明したように、本発明にかかる記録装置、記録装置の制御方法によれば、記録に要する消費電力と電源の残容量とから記録の可否を事前に判断することが可能になる。
【００８６】
電源の残容量に対して、使用する記録媒体で記録可能な枚数、一枚記録の可否をユーザーに報知することが可能になる。
【００８７】
また、報知の結果により電源を交換するタイミングを適切に判断することが可能になる。
【図面の簡単な説明】
【図１】本発明にかかる記録装置の基本構成を説明する図である。
【図２】記録装置における電池残量検知処理を説明する図である。
【図３】メディア属性検出部の構成を説明する図である。
【図４】電池残量検知の動作シーケンスを説明するフローチャートである。
【図５】動作条件の設定と画面表示の例を示す図である。
【符号の説明】
１００　記録装置
１０１　インク収納容器（廃インク吸収容器を含む）
１０２　プリント用メディアとスキャナ用メディアがセットとなったメディア収納容器
１０３　プリント用メディア収納部
１０４　プリント用メディア
１０５　スキャナ用メディア収納部
１０６　スキャナ用メディア
１０７　電池ホルダー（ホルダー内に装置駆動用電池が収納される）
１０８　電池端子
１０９　キャリッジ
１１０　インクタンク
１１１　スキャナ機構
１１２　ホスト装置とのデータ受信ポート（デバイスＵＳＢポート）
１１３　ホスト装置の一例（パソコン）
１１４　デバイス装置とのデータ送信ポート（ホストＵＳＢポート）
１１５　デバイス装置の一例（デジタルカメラ）
１１６　外部直流電源から給電するためのＤＣジャック
１１７　外部直流電源（ＡＣアダプタ）
１１８　商用電源からの給電のためのコンセントプラグ
２００　記録装置としての電池残量検知ユニット
２０１　装置電源部（電池部）
２０２　電源スイッチ（外部イネーブルにて制御可能）
２０３　ＤＣ／ＤＣコンバータ（装置負荷電圧変換部）
２０４　装置駆動部
２０５　各部ロジック回路
２０６　画像形成部（記録ヘッド）
２０７　モータ（キャリッジモータ、搬送モータ等）
２０８　警告表示部
２０９　装置制御部（ＣＰＵ）
２１０　ホスト装置（パソコン）
２１１　ホスト装置と記録装置とのデータ通信手段
２１２　記録開始ボタン
２１３　画像形成部制御手段（ＡＳＩＣ）
２１４　メディア（記録媒体）
２１５　メディア種類検出部
２１６　電池残量推定のための負荷試験用ダミー負荷
２１７　電池電圧検出部（Ａ／Ｄ変換部）
２１８　電力量記録部
３０１　装置本体
３０２　各種メディアのセット箇所
３０３　各種メディア
３０４　メディアサイズ判別機構
３０６　メディアサイズ判別機構部の接点のセレクタ
３０７　装置制御部（ＣＰＵ）
３１０　メディア種類判別のための穴
３１１　メディア種類判別機構（センサ）
３１２　メディア種類判別機構部のセンサ指定のセレクタ
５０１　ホスト装置（パソコン）
５０２　記録装置
５０３　ホスト装置と記録装置とのデータ通信手段
５０４　ホスト装置側でのバッテリーモニタのための設定ウィンドウ
【図１】
2004025497.tif 000003
【図２】
2004025497.tif 000004
【図３】
2004025497.tif 000005
【図４】
2004025497.tif 000006
【図５】
2004025497.tif 000007